(57)【要約】【課題】  家電製品（２００）のためのオフセット操作ユニット（１００）を提供する。【解決手段】  この操作ユニットは：カメラ（１０１）、予め規定された組の操作ジェスチャーからの操作ジェスチャーの認識のためにカメラ（１０１）により発生された画像データを評価する評価ユニット（１０２）、但し操作ジェスチャーは家電製品（２００）の操作者制御のために作用し、さらに家電製品（２００）は、操作ユニットから間隔を置いて離れた機能制御のための制御装置（２０１）を含む、操作ユニット（１００）と制御装置（２０１）の間の無線データ伝送のためのインターフェース（１０３）、但し認識された操作ジェスチャーに関する情報は、インターフェース（１０３）を介して制御装置（２０１）に無線方式で伝送される、及びカメラ（１０１）、評価ユニット（１０２）及びインターフェース（１０３）が中に組み込まれるハウジング（１０６）、を含む。【選択図】図１
2013187907.tif 000002
【特許請求の範囲】
【請求項１】
家電製品（２００）のためのオフセット操作ユニット（１００）であって、
−  カメラ（１０１）、
−  予め規定された組の操作ジェスチャーからの操作ジェスチャーの認識のためにカメラ（１０１）により発生された画像データを評価する評価ユニット（１０２）、但し操作ジェスチャーは家電製品（２００）の操作者制御のために作用し、さらに家電製品（２００）は、操作ユニットから間隔を置いて離れた機能制御のための制御装置（２０１）を含む、
−  操作ユニット（１００）と制御装置（２０１）の間の無線データ伝送のためのインターフェース（１０３）、但し認識された操作ジェスチャーに関する情報は、インターフェース（１０３）を介して制御装置（２０１）に無線方式で伝送される、及び
−  カメラ（１０１）、評価ユニット（１０２）及びインターフェース（１０３）が中に組み込まれるハウジング（１０６）、
を含むことを特徴とする操作ユニット。
【請求項２】
操作ユニットのための操作エネルギーを、外部で発生された交番磁界から発生させるためのエネルギー供給ユニット（１０５）を具備することを特徴とする請求項１に記載の操作ユニット。
【請求項３】
操作ユニットが、制御可能な発光体（１０４）を含み、評価ユニットが、発光体とカメラとを同期させることを特徴とする請求項１または２に記載の操作ユニット。
【請求項４】
評価ユニットが、カメラと、操作ユニットに対して外部に設けられた制御可能な発光体とを同期させることを特徴とする請求項１または２に記載の操作ユニット。
【請求項５】
ハウジングが、支持装置、レンジ台上面及び／または換気扇フードを含み、支持装置によって操作ユニットが家電製品のハウジングに固定されることができることを特徴とする請求項１〜４のいずれかに記載の操作ユニット。
【請求項６】
カメラが２Ｄカメラまたは３Ｄカメラであることを特徴とする請求項１〜５のいずれかに記載の操作ユニット。
【請求項７】
インターフェースが、赤外線インターフェース、無線ローカルエリアネットワーク（ＷＬＡＮ）インターフェース、またはブルートゥースインターフェースであることを特徴とする請求項１〜６のいずれかに記載の操作ユニット。
【発明の詳細な説明】
【技術分野】
【０００１】
本発明は、家電製品のための操作ユニットに関する。
【背景技術】
【０００２】
操作される装置の上に置かれているか、または操作される装置から間隔を置かれているかもしくはオフセットされている操作ユニット（以下、オフセット操作ユニットと呼ばれる）は、家電製品の快適な操作制御を可能にし、多数の家電製品が単一の操作ユニットにより操作制御されることを可能にする。
【０００３】
一般的に、かかるオフセット操作ユニットはキー、ボタン、回転ノブ等を含み、それらにより操作命令の入力を可能にする。
【発明の概要】
【発明が解決しようとする課題】
【０００４】
本発明の根底にある目的は、家電製品の最も快適な操作制御を可能にする家電製品のためのオフセット操作ユニットを提供することである。
【０００５】
本発明は、この目的を、請求項１に記載の操作ユニットにより達成する。
【０００６】
好適な実施態様は、従属請求項の主題であり、その用語は、これにより参考として明細書中に組み込まれる。
【０００７】
家電製品のためのオフセットされたまたは置かれた操作ユニットは、カメラ（例えばカメラチップ及び関連した光学素子を持つカメラ）；予め規定された組の操作ジェスチャーからの操作ジェスチャーの認識のためにカメラにより発生された画像データを評価する評価ユニット（例えばマイクロプロセッサーの形の評価ユニット）、但し操作ジェスチャーは家電製品の操作者制御のために作用し、さらに家電製品は操作ユニットから離れて間隔を置かれた制御装置または制御ユニットを含む；操作ユニットと制御装置の間の無線データ伝送のための双方向または単方向インターフェース、但し認識された操作ジェスチャーに関する情報は、インターフェースを介して制御装置に無線方式で伝送される；及びカメラ、評価ユニット及びインターフェースが中に組み込まれるハウジング；を含む。
【０００８】
特に、オフセット操作ユニットは、遠隔制御に対応する携帯型操作ユニットを意味し、遠隔制御は、操作モードでは、制御される家電製品またはその制御装置に直接または導電材料により結合されていない。例えば、オフセット操作ユニットは、家電製品のハウジングの上のそのために設けられた機能位置の上に配置されることができる。
【０００９】
操作ユニットは、好ましくはジェスチャー操作制御のための全ての要素及び機能を含み、従って家電製品の制御装置に無線方式で結合されることができるジェスチャー制御ユーザーインターフェースを形成する。操作ユニットと家電製品の制御装置の間の無線インターフェースを介して、好ましくは包括的な操作データの形の単に基本的な情報が伝送される。これは、制御装置が操作ジェスチャーを認識するためにいかなる計算等も実施する必要がないことを可能にする。操作ユニット内に、多数の予め規定された操作ジェスチャーが記憶されることができる。操作ジェスチャーの認識により、例えば操作ジェスチャーの識別子のみが及び操作ジェスチャーを実施する操作者の指及び／または手のＸ−，Ｙ−及びＺ−位置が無線インターフェースを介して伝送される。
【００１０】
幾つかの操作ジェスチャーでは、かかる位置データの適切な相関関係は不可能である場合がある。
【００１１】
操作ジェスチャーの一つによって、例えば多数の調理領域を持つレンジ台上面の調理領域が選ばれることができ、続いて別の操作ジェスチャーによって、レンジ台上面の希望の加熱容量が設定されることができる。さらに、家電製品の特別な機能が、例えばプログラム設定、プログラムパラメーター設定等の形で選ばれるかまたは作動されることができる。
【００１２】
操作ユニットは、操作ユニットのための操作エネルギーを、外部で発生された交番磁界から発生させるためのエネルギー供給ユニットを含むことができ、それにより誘導電力供給が可能になる。操作ユニットは電池なしで操作されることができる。
【００１３】
操作ユニットは、制御可能な発光体を含むことができ、評価ユニットは、発光体とカメラとを同期させる。例えば、制御可能な発光体は、赤外線発光体であることができ、最も簡単な場合には、「制御可能」は、スイッチオン及びスイッチオフされるのに適合されていることを意味する。評価ユニットは、発光体の作動を、例えばカメラのいわゆるシャッターと同期して達成することができる。これは、カメラが画像をとる瞬間にのみ発光体が光パルスを発生するので、有利であることができる。
【００１４】
代替的に、発光体は、操作ユニットとは別に、例えばガラスセラミックレンジ台上面の下に設けられることができ、評価ユニットは、カメラと、制御装置に対して外部に設けられた制御可能な発光体とを、例えば同期化信号の無線伝送により、同期させる。
【００１５】
ハウジングは、支持装置、レンジ台上面及び／または換気扇フードを含むことができ、支持装置によって操作ユニットが例えば家電製品のハウジングに固定されることができる。
【００１６】
カメラは、二次元（２Ｄ）カメラまたは三次元（３Ｄ）カメラであることができ、例えばいわゆる飛行時間型カメラまたはステレオカメラであることができる。
【００１７】
例えば、無線インターフェースは、赤外線インターフェース、無線ローカルエリアネットワーク（ＷＬＡＮ）インターフェースまたはブルートゥースインターフェースであることができる。
【図面の簡単な説明】
【００１８】
次に、本発明は、続いて本発明の実施態様を示す図面に対して述べられる。この場合、図面は、以下のもので概略的に示す：
【００１９】
【図１】図１は、家電製品のための本発明によるオフセット操作ユニットを示す。
【発明を実施するための形態】
【００２０】
図１は、家電製品２００のオフセット操作制御または遠隔制御のための、本発明によるオフセット操作ユニット１００を示す。
【００２１】
図１に示された電気レンジの形の家電製品２００は、例えばマイクロコントローラーの形の制御装置２０１を含み、それは、例えば作動器（この場合加熱手段２０４）の好適な制御、センサの読み出し、制御ループの実現、ユーザーにより選ばれることができるプログラムシーケンスの実行等によって家電製品２００の機能制御のために作用する。操作ユニット１００はまた、例えば洗濯機、洗濯物乾燥器等の操作者制御のために使用されることができることは理解されるだろう。操作ユニットはまた、多数の家電製品を操作するために作用することができる。
【００２２】
操作ユニット１００は、従来の２Ｄカメラまたは３Ｄカメラ１０１；評価ユニット１０２（例えばマイクロコントローラーまたはＦＰＧＡの形の評価ユニット）、但し評価ユニットは、予め規定された組の操作ジェスチャーからの操作ジェスチャーの認識のためにカメラ１０１により発生された画像データを評価する；評価ユニット１０２により作動される赤外線（ＩＲ）発光体１０４；操作ユニット１００の制御装置２０１への、対応する双方向ＩＲインターフェース２０３を介しての結合のための無線双方向ＩＲインターフェース１０３；操作パラメーターを表示するためのディスプレイ１０８；エネルギー供給ユニット１０５；及び前述の要素が中に組み込まれるハウジング１０６；を含む。
【００２３】
エネルギー供給ユニット１０５は、操作ユニット１００のための操作エネルギーを交番磁界から発生させるために作用し、この交番磁界は、家電製品２００の電源２０２により発生される。
【００２４】
予め規定された組の操作ジェスチャーは、家電製品２００の操作者制御のために作用し、前記組は、以下のジェスチャー：人さし指、閉じた手、広げた指、こぶし、右側または左側に親指を持つこぶし等を含むことができる。一意の操作ジェスチャー識別子が、予め規定された組の操作ジェスチャーからの各操作ジェスチャーに割り当てられる。
【００２５】
実際の操作ジェスチャーに加えて、操作ユニット１００は、関連した位置情報及び／または方向情報、例えば操作者の手の指が指示するＸ−座標及びＹ−座標、手のＸ−座標及びＹ−座標、及び手のＺ−座標を、状況に応じて認識する。Ｚ−座標の決定のために、３Ｄカメラが使用されることができる。代替として、２Ｄカメラにより手の寸法変化を評価することにより、（仮）Ｚ−座標が決定されることができる。手がこのカメラにより初めて認識されるとき、デフォルトＺ−座標が規定されることができ、それは次いでカメラ１０１で検出された手の相対的な寸法変化に応答して変化される。
【００２６】
操作ユニット１００が操作ジェスチャーを認識すると、関連した操作ジェスチャー識別子並びに関連した位置情報がインターフェース１０３を介して制御装置２０１に無線方式で、状況に応じて伝送される。制御装置２０１は、例えばジェスチャーに関連した家電製品２００の機能を開始することにより、調理領域を選ぶことにより、希望の値を変えることにより、利用可能な位置情報に関して操作ジェスチャーを状況に応じて対応して実施する。
【００２７】
例えば、操作ユニット１００は、家電製品のガラスセラミック板２０５上の予め規定された位置の上に配置されることができ、例えば対応する（図示せず）磁気固定手段が操作ユニット１００内にガラスセラミック板２０５の下に設けられることができ、それらは、ガラスセラミック板２０５上の操作ユニットの取り外し可能な固定及び配向を実現する。
【００２８】
ＩＲ発光体１０４はまた、ＩＲ光に対して半透明なガラスセラミック２０５板の下に代替的に設けられることができ、この場合、赤外線発光体１０４は、無線方式で伝送される同期化信号を交換することによりカメラ１０１と同期化されることができる。
【００２９】
操作ユニットのモジュール形状のため、ジェスチャー認識を持つオフセット操作制御器は、少ない努力で種々の制御器に連結されることができる。操作ユニットは、既にカメラにより送出された画像データの完全な評価を実行するので、続く制御は、より費用効果的な低性能のプロセッサーを用いて実現されることができ、または存在する制御器は、何ら変更なしにジェスチャー制御器を追加されることができる。
【図１】
2013187907.tif 000003
【外国語明細書】
2013187907.tif 000004
2013187907.tif 000005
2013187907.tif 000006
2013187907.tif 000007
2013187907.tif 000008
2013187907.tif 000009
2013187907.tif 000010
2013187907.tif 000011
2013187907.tif 000012
2013187907.tif 000013
2013187907.tif 000014